(57)【要約】調整可能なストップ角度及び自閉機能を有する高密閉ドア用ヒンジであって蝶番１０と、固定台２０と、固定ロッド３０と、スレッドインサート４０と、ねじリング３０と、栓６０と、調整台７０とを含み、蝶番１０に軸スリーブ１１及び羽根１２が設けられ、固定台２０に軸スリーブ２１が設けられ、固定ロッド３０がスクリュー３１を備え、スレッドインサート４０が軸スリーブ１１内に固定接続され、栓６０が軸スリーブ２１内に固定接続され、スレッドインサート４０と栓と６０の間に間隔があり、二つの接続スリーブ内のスレッドインサート４０と栓６０との間に固定ロッド３０と、二つの磁石と、二つのばねと、調整台７０とが設けられ、固定ロッド３０が備えるスクリュー３１が、スレッドインサート４０に螺合され、第１のばね９１が、固定ロッド３０とカップ体６１の前端面のガスケット８５との間に押し付け、第１の磁石８１と第２の磁石８２とが互いに磁気的に吸引される。調整台７０を調整・回転することにより、第２の磁石８２、栓６０及びカップ体６１のカップ底に配合し、第２の磁石８２及び第１の磁石８１との間のピッチを調整して近づけることができ、蝶番自身が予め設定した角度に対応する位置にストップすることができ、及び予め設定したストップ角度の以下に対応する位置の場合、自閉することができる。【選択図】  図１
2018534455.tif 000002
【特許請求の範囲】
【請求項１】
調整可能なストップ角度及び自閉機能を有する高密閉ドア用ヒンジであって、
蝶番と、固定台と、固定ロッドと、ねじリングと、スレッドインサートとを含み、
前記蝶番に、軸スリーブと、軸スリーブ外に固定接続されている羽根とが設けられ、前記固定台にもう一つの軸スリーブが設けられ、前記蝶番が前記固定台に対して回転することができ、前記固定ロッドがスクリューを有するものであり、
スレッドインサートが軸スリーブに固定接続され、栓が軸スリーブに固定接続され、スレッドインサートと栓との間に間隔があり、栓及び調整台を更に含み、前記二つの軸スリーブにおけるスレッドインサートと栓との間に固定ロッドと、ねじリングと、第１の磁石と、第２の磁石と、第１のばねと、カップ体と、第２のばねと、調整台とが設けられ、スレッドインサートに前記固定ロッドのスクリューが螺合され、前記第１のばねが固定ロッドとカップ体の前端面との間に当接し、前記第１の磁石と固定ロッドと共に移動することができ、前記第２のばねの一端が栓に対して押し付けられることができ、前記第２のばねの他端が第２の磁石に押し付けられ、前記第２の磁石が栓に対して移動することができ、前記第１の磁石と第２の磁石とが互いに磁気的に吸引され、前記調整台を調整・回転することにより、第２の磁石、栓及びカップ体のカップ底に配合することができ、及び第２の磁石と栓との間のピッチの位置を調整して近づけ調整して近づけることができ、前記調整台を調整・回転することにより、第２の磁石、栓及びカップ体のカップ底に配合することができ、第２の磁石と第１の磁石との間のピッチを調整して近づけることができる、
ことを特徴とする調整可能なストップ角度及び自閉機能を有する高密閉ドア用ヒンジ。
【請求項２】
前記スレッドインサートが蝶番の軸スリーブ内に固定接続され、前記栓が固定台の軸スリーブ内に固定接続されている、
ことを特徴とする請求項１に記載の調整可能なストップ角度及び自閉機能を有する高密閉ドア用ヒンジ。
【請求項３】
接続スリーブを更に含み、前記固定ロッドが接続スリーブ内で摺動・移動できるように接続され、前記スレッドインサートが回転することができるが、摺動できない状態で接続スリーブ内に接続され、前記第１の磁石と、第２の磁石と、第１のばねと、第２のばねとが接続スリーブ内に設けられ、前記蝶番の軸スリーブと、接続スリーブから突出する部分のスレッドインサートとが固定接続され、前記固定台の軸スリーブと、接続スリーブから突出する部分の栓とが固定接続されている、
ことを特徴とする請求項２に記載の調整可能なストップ角度及び自閉機能を有する高密閉ドア用ヒンジ。
【請求項４】
蝶番と、固定台と、固定ロッド及びスレッドインサートを含み、前記蝶番に軸スリーブと、軸スリーブ外に固定接続されている羽根とが設けられ、前記スレッドインサートが備える細ロッドは、羽根を構成し、前記スレッドインサートが回転するように軸スリーブ内に設けられ、前記羽根が固定ロッド及び固定台に対して回転することができ、前記固定ロッドがスクリューを有するものであり、栓及び調整台を更に含み、軸スリーブの一端に前記スレッドインサートが固定接続され、軸スリーブの他端に前記栓が固定接続され、スレッドインサートと栓との間に間隔があり、前記二つの軸スリーブにおけるスレッドインサートと栓との間に固定ロッドと、ねじリングと、第１の磁石と、第２の磁石と、第１のばねと、カップ体と、第２のばねと、調整台とが設けられ、スレッドインサートに前記固定ロッドのスクリューが螺合され、前記第１のばねが固定ロッドとカップ体の前端面との間に当接し、前記第１の磁石と固定ロッドと共に移動することができ、前記第２のばねの一端が栓に対して押し付けられることができ、前記第２のばねの他端が第２の磁石に押し付けられ、前記第２の磁石が栓に対して移動することができ、前記第１の磁石と第２の磁石とが互いに磁気的に吸引され、前記調整台を調整・回転することにより、第２の磁石、栓及びカップ体のカップ底に配合することができ、及び第２の磁石と栓との間のピッチを調整して近づけ調整して近づけることができ、前記調整台を調整・回転することにより、第２の磁石、栓及びカップ体のカップ底に配合することができ、第２の磁石と第１の磁石との間のピッチを調整して近づけることができ、前記固定ロッドは、凸リングを有し、前記凸リングの外環の側面に凸リングの摺動軌道である凹溝が凹設され、且つ前記ねじリングの貫通孔の内環周方向の先端にねじリングの内環フランジが凸設されることにより、前記ねじリングの内環フランジが凸リング摺動軌道である凹溝内に当接することができ、前記凸リングの摺動軌道である凹溝がねじリングの内環フランジに配合することができ、スレッドインサートに対して軸線に沿って上下の摺動及び移動や軸方向及び周方向のピッチを変動しないように固定ロッドがをストップ・制限することができ、蝶番の羽根のストップ角度を設定するように配合することができる、
ことを特徴とする調整可能なストップ角度及び自閉機能を有する高密閉ドア用ヒンジ。
【請求項５】
第１のねじ及び第２のねじを更に含み、前記第１のねじ及び第２のねじは、いずれもロッド部及びに末端のねじ部を有し、前記第１のねじのロッド部は、第１の磁石を挿通し、且つ固定ロッドにねじ部が螺合され、前記第１のねじのスクリューヘッドが第１の磁石を支持し、前記第２のねじのロッド部第２の磁石を挿通し、且つ栓にねじ部が螺合され、前記第２のねじのスクリューヘッドが第２の磁石を支持する、
ことを特徴とする請求項１〜４のいずれかに記載の調整可能なストップ角度及び自閉機能を有する高密閉ドア用ヒンジ。
【請求項６】
前記カップ体が移動的に軸スリーブ内に設けられ、前記第２のばねがカップ体のカップ底と第２の磁石との間に押し付け、カップ体のカップ底と、栓とに接続されている前記調整台によりカップ底と栓との間のピッチを調整するため、栓と第２の磁石との間のピッチ、及び第２の磁石と第１の磁石とのピッチを調整して近づけることができる、
ことを特徴とする請求項１〜４のいずれかに記載の調整可能なストップ角度及び自閉機能を有する高密閉ドア用ヒンジ。
【請求項７】
前記調整台は、第３のねじであり、前記第３のねじが栓に挿通・螺合され、且つカップ体のカップ底に押し付ける、
ことを特徴とする請求項６に記載の調整可能なストップ角度及び自閉機能を有する高密閉ドア用ヒンジ。
【請求項８】
前記第２のばね及び第２の磁石は、いずれも全てがカップ体の中に位置づけられ、前記第２の磁石がカップ体と配合して摺動接続され、前記第１の磁石の下部がカップ体と配合して摺動接続され、
ことを特徴とする請求項６に記載の調整可能なストップ角度及び自閉機能を有する高密閉ドア用ヒンジ。
【請求項９】
前記凸リングに環状凸リングが固定接続され、且つ前記環状凸リングに接続ロッドが固定接続され、前記第１のばねが接続ロッドに嵌合され、且つ凸リングと、カップ体の前外環の縁部と、ガスケットとの間に押し付ける、
ことを特徴とする請求項６に記載の調整可能なストップ角度及び自閉機能を有する高密閉ドア用ヒンジ。
【請求項１０】
前記第２のばねの全てが、固定ロッドに備えられる凸リングと、ガスケットと第１の磁石との間に位置づけられ、且つ前記第１のねじが第１の磁石内環貫通孔と、ガスケット内環貫通孔及び第２のばねを挿通し、接続ロッドに螺合されることで、第１の磁石と接続ロッドとが共に接続され、前記第２の磁石の全てが羽根のストップ角度補助調整用ガスケット上に位置づけられ、且つ前記第２のねじが第２の磁石内環貫通孔及びガスケット内環貫通孔を挿通し、調整台に螺合されることで、第２の磁石と調整台とが共に固定接続され、前記凸リングが環状凸リングに固定接続され、且つ前記環状凸リングが接続ロッドに固定接続され、且つ前記凸リングと環状凸リングとが共に固定接続されていることにより、凸リングを構成することができ、前記環状凸リングの外環周方向に環状凹溝が凹設され、且つ前記環状凸リングが備える環状凹溝がシールリングに嵌合され、且つ前記シールリングが環状取り付け溝から突出することにより、接続スリーブ内に封止的に当接することができ、且つ前記シールリングが環状凸リングに配合して接続スリーブ５０の中に上下の摺動及び移動を行うことができるため、接続スリーブにおいて、シールダンパー及び抵抗を発生し、接続スリーブにおける環状凸リングの上下の摺動及び移動によるシールダンパー及び抵抗の作用を、更に増強することができ、接続スリーブにおける環状凸リングのストップの強度を更に増強することができると共に、第２の磁石及び第１の磁石が蓄える磁気的吸引力を補強・放出することに配合して、強い磁気的吸引力で第２の磁石と第１の磁石とが共に接続スリーブ内にストップすることができ、蝶番の羽根自身のストップの強度を増強することができる、
ことを特徴とする請求項７に記載の調整可能なストップ角度及び自閉機能を有する高密閉ドア用ヒンジ。
【請求項１１】
前記固定ロッドに備えられるスクリューの前縁部にスクリュープルリングが凸設され、前記フックロッドが回転リングの内環貫通孔に配合し、且つスレッドインサートが備える細ロッドの上に平置き、前記スレッドインサート及スレッドインサートが備える細ロッドに、引っ張りばねを配置するように貫通孔が設けられるため、前記引っ張りばねの両端に前フックと、後フックとが固定接続され、前記引っ張りばね一端の後フックがスクリュープルリングに掛けられ、前記引っ張りばねの他端の前フックがフックロッドに掛けられるため、スレッドインサートに対して軸線に沿って上下のピッチ位置を変動しないように固定ロッドに備えられるスクリューを制御することができ、蝶番の羽根に配合してストップ角度を設定することができ、前記固定ロッドに備えられる凸リングの外環の側面に凸リング摺動軌道である凹溝が凹設され、且つ前記ねじリングの貫通孔の内環周方向の先端にねじリングの内環フランジが凸設されるため、前記ねじリングの内環フランジが凸リングの摺動軌道である凹溝内に当接することができ、前記凸リングの摺動軌道である凹溝がねじリングの内環フランジに配合することができ、スレッドインサートに対して軸線に沿って上下の摺動及び移動や軸方向及び周方向のピッチを変動しないように固定ロッドをストップ・制限することができる。
ことを特徴とする請求項７に記載の調整可能なストップ角度及び自閉機能を有する高密閉ドア用ヒンジ。
【発明の詳細な説明】
【技術分野】
【０００１】
本発明は、調整可能なストップ角度及び自閉機能を有する高密閉ドア用ヒンジに関する。
【背景技術】
【０００２】
中国特許データベースに、実用新案の名称は、「昇降蝶番装置」であり、特許番号は、２０１３２０８３５６５５１である発明が公開されている。当該発明は、上蝶番と、下蝶番と、伝達台と伝達ロッドとを含む構成である。上蝶番は、上軸スリーブと、上軸スリーブに固定接続されている上蝶番片とを含み、下蝶番は、下軸スリーブと、下軸スリーブに固定接続されている下蝶番片とを含み、伝達台は、上軸スリーブに固定接続され、前記伝達台の基端面に伝達チャンバが凹設され、前記伝達チャンバの内回転面に第１の螺旋部分が設けられる。伝達ロッドが下軸スリーブに固定接続され、前記伝達ロッドの外回転面に第２の螺旋部分が設けられ、前記伝達ロッドに伝達チャンバが接続され、前記第１の螺旋部分と第２の螺旋部分とが配合・噛合されることであって、上蝶番に対して下蝶番を回転するように上蝶番を押圧し、第１の螺旋部分と第２の螺旋部分と配合することにより上蝶番を上昇させ、押圧を解除することにより重力の作用で上蝶番を降下させ、第１の螺旋部分と第２の螺旋部分と配合することにより、上蝶番を自動的にリセットしてクローズに戻ることができる。前記昇降蝶番装置は、上下軸スリーブの配合により回転接続を実現することができるが、高密閉ドアに用いる際に、実用性が低下し、ガス漏れの可能性がある。
【発明の概要】
【発明が解決しようとする課題】
【０００３】
本発明は、調整可能なストップ角度及び自閉機能を有する高密閉ドア用ヒンジを提供する。背景技術における昇降蝶番装置の不足を克服することができる。
【課題を解決するための手段】
【０００４】
本発明において、上記の課題を解決するための一つの技術案は、下のように示す。
調整可能なストップ角度及び自閉機能を有する高密閉ドア用ヒンジは、蝶番と、固定台と、固定ロッドと、ねじリングと、スレッドインサートとを含み、前記蝶番に、軸スリーブ及び軸スリーブ外に固定接続されている羽根が設けられ、前記固定台にもう一つの軸スリーブが設けられ、前記蝶番が固定台に対して回転することができ、前記固定ロッドがスクリューを備えることであって、栓及び調整台を更に含み、スレッドインサートが軸スリーブに固定接続され、栓が軸スリーブに固定接続され、スレッドインサートと栓との間に間隔があり、前記二つの軸スリーブ内のスレッドインサートと栓との間に固定ロッドと、ねじリングと、第１の磁石と、第２の磁石と、第１のばねと、カップ体と、第２のばねと、調整台とが設けられ、スレッドインサートに前記固定ロッドのスクリューが螺合され、前記第１のばねが固定ロッドとカップ体の前端面との間に当接し、前記第１の磁石と固定ロッドと共に移動することができ、前記第２のばねの一端が栓に対して押し付けられることができ、前記第２のばねの他端が第２の磁石に押し付けられ、前記第２の磁石が栓に対して移動することができ、前記第１の磁石と第２の磁石とが互いに磁気的に吸引され、前記調整台を調整・回転することにより、第２の磁石、栓及びカップ体のカップ底に配合することができ、及び第２の磁石と栓との間のピッチを調整して近づけ調整して近づけることができ、前記調整台を調整・回転することにより、第２の磁石、栓及びカップ体のカップ底に配合することができ、第２の磁石と第１の磁石との間のピッチを調整して近づけることができる。
【０００５】
本発明において、上記の課題を解決するためのもう一つの技術案は、以下のように示す。
調整可能なストップ角度及び自閉機能を有する高密閉ドア用ヒンジは、蝶番と、固定台と、固定ロッドと、スレッドインサートとを含み、前記蝶番に軸スリーブ及び軸スリーブ外に固定接続されている羽根が設けられ、前記スレッドインサートが備える細ロッドは、羽根を構成し、前記スレッドインサートが回転するように軸スリーブ内に設けられ、前記羽根が固定ロッド及び固定台に対して回転することができ、前記固定ロッドがスクリューを備えることであって、栓及び調整台を更に含み、前記スレッドインサートが軸スリーブの一端に固定接続され、前記栓が軸スリーブの他端に固定接続され、スレッドインサートと栓との間に間隔があり、前記軸スリーブ内のスレッドインサートと栓との間に固定ロッドと、ねじリングと、第１の磁石と、第２の磁石と、第１のばねと、カップ体と、第２のばねと、調整台とが設けられ、スレッドインサートに前記固定ロッドのスクリューが螺合され、前記第１のばねが固定ロッドとカップ体の前端面との間に当接し、前記第１の磁石と固定ロッドと共に移動することができ、前記第２のばねの一端が栓に対して押し付けられることができ、前記第２のばねの他端が第２の磁石に押し付けられ、前記第２の磁石が栓に対して移動することができ、前記第１の磁石と第２の磁石とが互いに磁気的に吸引され、前記調整台を調整・回転することにより、第２の磁石、栓及びカップ体のカップ底に配合することができ、及び第２の磁石と栓との間のピッチを調整して近づけ調整して近づけることができ、前記調整台を調整・回転することにより、第２の磁石、栓及びカップ体のカップ底に配合することができ、第２の磁石と第１の磁石との間のピッチを調整して近づけることができる。前記固定ロッドは、凸リングを備える。前記凸リングの外環の側面に凸リングの摺動軌道である凹溝が凹設され、且つ前記ねじリングの貫通孔の内環の周方向の先端にねじリングの内環フランジが凸設されることにより、前記ねじリングの内環フランジが凸リングの摺動軌道である凹溝内に当接することができ、前記凸リングの摺動軌道である凹溝がねじリングの内環フランジに配合することができ、固定ロッドがスレッドインサートに対して軸線に沿って上下の摺動及び移動の位置や軸方向及び周方向のピッチをストップ・制限することができ、蝶番の羽根のストップ角度を設定するように配合することができる。
【発明の効果】
【０００６】
本技術案と背景技術と比べると、以下のメリットを有する。
スレッドインサートと栓との間に固定ロッドと、ねじリングと、二つの磁石と、二つのばねと、調整台とが設けられ、二つの軸スリーブが互いに回転する際に、二つの軸スリーブ内の接続スリーブにおけるスレッドインサート及びスクリューが互いに回転することができることにより、固定ロッドに備えられるスクリューの２本以上である６本の直斜度ネジピッチの雄ねじが、スレッドインサートの２本以上である６本の直斜度ネジピッチの雌ねじに対して軸方向に沿って下へ摺動して移動ことができ、スクリューの６本の直斜度ネジピッチの雄ねじがスレッドインサートの６本の直斜度ネジピッチの雌ねじに対して軸方向に沿って下へ摺動して移動することができ、蝶番の羽根の設定可能な回転角度の範囲に、スレッドインサート及びスクリューが軸方向に沿って上下に移動することができる。前記固定ロッドが受け入れる二つの磁石の磁力と、第１のばねの弾力による押し付け力とがバランスを取ることにより、蝶番の羽根自身が予め設定したステップ角度にストップすることができ、同時に蝶番の羽根が他の角度にも自閉機能を実現することができ、便利に使用することができる。調整台を調整・回転することにより第２の磁石と、栓及びカップ体のカップ底に配合することができ、第２の磁石と栓との間のピッチを調整して近づけ調整して近づけることができ、第２の磁石と、第１の磁石とが磁気的に吸引され、接続スリーブ内に共にストップすることができる。前記調整台が蝶番の羽根の予め設定したストップ角度に配合することにより、蝶番の羽根自身が設定可能な角度の範囲にある任意の角度に対応する位置にストップすることができ、及び予め設定したストップ角度の以下に対応する位置の場合、自閉することができる。即ち、蝶番の羽根自身が設定可能な角度の範囲にあるストップ角度に対応する位置まで回転する際に、ストップすることができ、及び予め設定したストップ角度の以下に対応する位置の場合、蝶番の羽根自身が自閉機能を実現することができる。調整台を調整・回転することにより、第２の磁石、栓及びカップ体のカップ底に配合することができ、第２の磁石と第１の磁石との間のピッチを調整して近づけ調整して近づけることができ、第２の磁石と、第１の磁石とが磁気的に吸引され、接続スリーブ内に共にストップする。前記調整台が蝶番の羽根の予め設定したストップ角度に配合することにより、蝶番の羽根自身が設定可能な角度の範囲にある任意の角度に対応する位置にストップすることができ、及び予め設定した任意のストップ角度の以下に対応する位置の場合、自閉機能を実現することができる。
【図面の簡単な説明】
【０００７】
以下には、図面及び実施例を参照しながら本発明を更に説明する。
【図１】実施例１のヒンジの構成を示す模式図である。
【図２】実施例１の蝶番の構成を示す模式図である。
【図３】実施例１の蝶番の羽根の構成を示す模式図である。
【図４】実施例１の固定台の構成を示す模式図である。
【図５】実施例１の接続スリーブの組み付けを示す模式図である。
【図６】実施例１の接続スリーブの構成を示す模式図である。
【図７】実施例１の第１の軸受の構成を示す模式図である。
【図８】実施例１のスレッドインサートの構成を示す模式図である。
【図９】実施例１のスレッドインサートの斜視模式図である。
【図１０】実施例１のねじリングの斜視模式図である。
【図１１】実施例１の固定ロッドの斜視模式図である。
【図１２】実施例１の固定ロッドの構成を示す模式図である。
【図１３】実施例１の第２の軸受の構成を示す模式図である。
【図１４】実施例１のガスケットの構成を示す模式図である。
【図１５】実施例１の第１の磁石の構成を示す模式図である。
【図１６】実施例１の第１の磁石の斜視模式図である。
【図１７】実施例１の第２の磁石の構成を示す模式図である。
【図１８】実施例１の第２の磁石の斜視模式図である。
【図１９】実施例１の第１のねじの構成を示す模式図である。
【図２０】実施例１の第２のねじの斜視模式図である。
【図２１】実施例１の摺動スリーブの斜視模式図である。
【図２２】実施例１のシールリングの斜視模式図である。
【図２３】実施例１のカップ体の斜視模式図である。
【図２４】実施例１のカップ体の構成を示す模式図である。
【図２５】実施例１の栓の斜視模式図である。
【図２６】実施例１の栓の構成を示す模式図である。
【図２７】実施例１の調整台の構成を示す模式図である。
【図２８】実施例１の調整台の斜視模式図である。
【図２９】実施例２のヒンジの構成を示す模式図である。
【図３０】実施例２の底板及び凸台の構成を示す模式図である。
【図３１】実施例２の蝶番の軸スリーブを備える羽根の構成を示す模式図である。
【図３２】実施例２の第３の軸受の構成を示す模式図である。
【図３３】実施例２の回転リングの構成を示す模式図である。
【図３４】実施例３のヒンジの構成を示す模式図である。
【図３５】実施例４のヒンジの構成を示す模式図である。
【図３６】実施例５のヒンジの構成を示す模式図である。
【図３７】実施例５のスクリュープルリングの斜視模式図である。
【図３８】実施例５のゴム柱の斜視模式図である。
【図３９】実施例５のスレッドインサート引っ張りばねの貫通孔の構成を示す模式図である。
【図４０】実施例５の第１の磁石の斜視模式図である。
【図４１】実施例５の第２の磁石の斜視模式図である。
【図４２】実施例５の第１の磁石ケースの斜視模式図である。
【図４３】実施例５の第２の磁石ケースの斜視模式図である。
【発明を実施するための形態】
【０００８】
実施例１
調整可能なストップ角度及び自閉機能を有する高密閉ドア用ヒンジの設定可能なストップ角度は、２０°〜１８０°であり、且つ設定可能なストップ角度の２０°〜１８０°の範囲において、任意のストップ角度の以上に対応する位置の場合、蝶番の羽根自身がストップすることができ、任意のストップ角度の以下に対応する位置の場合、蝶番の羽根が自閉することができる。前記調整可能なストップ角度及び自閉機能を有する高密閉平ドア用ヒンジ、及び前記調整可能なストップ角度及び自閉機能を有する高密閉凸ドア用ヒンジであり、例えば、冷凍庫、冷蔵庫、保冷庫、ロースター、オーブン実験デバイスドア、実験箱ドア、模擬環境実験デバイスドア、機械デバイスドア、乾燥用デバイスドア、遮音用ドア、特殊用ドア、鮮度保持庫ドア、茶葉放置庫用ドア、土木材料放置用ドア及び任意の船舶用ドアなどの高密閉平ドア及び高密閉凸ドアに適用することができる。
【０００９】
図１〜図２８を参照して、前記ヒンジは、蝶番１０と、固定台２０と、固定ロッド３０と、スレッドインサート４０と、ねじリング４３と、接続スリーブ５０と、栓６０と、調整台７０とを含む。
【００１０】
前記蝶番１０は、軸スリーブ１１と、軸スリーブ１１外に固定接続されている羽根１２とを含み、前記固定台２０は、固定板２５と、垂直底板２２と、垂直底板２２上に固定接続されている凸台２３とを含み、前記凸台２３の垂直底板２２の端面に軸スリーブ２１が凹設される。前記接続スリーブ５０が軸スリーブ１１と凸台２３の軸スリーブ２１との間に接続され、前記第３の軸受３９が、軸スリーブ１１の一端の周方向平面と、凸台２３の軸スリーブ２１の一端の周方向平面との間に回転するように接続されてもよいが、接続スリーブ５０の外に回転するように接続されてもよい。これにより、蝶番１０が固定台２０の軸線に対してさらにスムーズになるように回転することができる。前記軸スリーブ１１と軸スリーブ２１とが並設されることにより、蝶番の羽根が凸台２３の軸スリーブ２１が対して回転することができ、高密閉凸ドア用ヒンジ及び高密閉平ドア用ヒンジを構成することができる。
【００１１】
前記スレッドインサート４０が、摺動できず、回転するように軸スリーブ１１の接続スリーブ５０内に接続され、前記蝶番１０が備える軸スリーブ１１内の回転リング４１と、スレッドインサート４０が備える細ロッド４２の接続スリーブ５０から突出する部分とが固定接続され、前記スレッドインサート４０の上部に細ロッド４２が凸設され、前記スレッドインサート４０が備える細ロッド４２が、第１の軸受４４の貫通孔と、回転リング４１の貫通孔とを回転するように挿通することができ、前記回転リング４１が軸スリーブ１１内の上部に位置づけられ、固定接続用のねじ９８を介して軸スリーブ１１のねじ貫通孔に螺進・挿通され、且つ回転リング４１を挿通して細ロッドに固定接続されることにより、軸スリーブ１１と、回転リング４１と、細ロッドとが共に固定接続されるため、スレッドインサートに対して軸線に沿って上下の摺動及び移動や軸方向及び周方向のピッチを変動しないように固定ロッドをストップ・制限することができ、前記回転リング４１及び軸スリーブ１１がスレッドインサート４０の軸方向移動を限制・制御することができ、蝶番の羽根のストップ角度を任意的に設定することができる。接続スリーブ５０内に第２のフランジ５２が設けられ、接続スリーブ５０における第２のフランジ５２が、栓６０の環状凹溝５２０内に当接することができるため、接続スリーブ５０における第２のフランジ５２が栓６０の環状凹溝５２０に嵌合されることができる。これにより、栓６０と、第２のフランジ５２と、接続スリーブ５０とが共に接続スリーブ５０内に固定接続されている。前記栓６０の接続スリーブ５０から突出する部分が、固定接続用ねじ９８を介して軸スリーブ２１のねじ貫通孔に螺進・挿通され、栓６０に螺進し、調整台７０に係合することにより、調整台７０をロッキング・固定することができるが、この時、固定接続用ねじ９８が軸スリーブ２１及び栓６０と配合して調整台７０をロッキング・固定することができるが、この時は、固定接続用ねじ９８が、軸スリーブ２１及び栓６０と配合して調整台７０をロッキング・固定する時点ではなく、前記調整台７０を回転・調整することにより、調整栓６０と、第２の磁石８２及びカップ体６１のカップ底に配合し、、第２の磁石８２と第１の磁石８１との間のピッチを調整して近づけ、第２の磁石と第１の磁石とが磁気的に吸引され、共に接続スリーブ５０内にストップし、蝶番の羽根自身を要求のストップ角度に対応する位置にストップした後に、固定接続用ねじ９８を介して調整台の移動を防止するように調整台７０をロッキング・固定する。前記スレッドインサートと栓との間に間隔があり、前記接続スリーブ内のスレッドインサートと栓との間に固定ロッド３０と、ねじリング４３と、第１の磁石８１と、第２の磁石８２と、カップ体６１と、ガスケット８５と、第１のばね９１と、第２のばね９２とが設けられ、前記固定ロッド３０がスクリュー３１を備え、前記固定ロッド３０が備えるスクリュー３１の雄ねじとスレッドインサート４０の雌ねじとを配合することにより、前記固定ロッド３０が備えるスクリュー３１をスレッドインサート４０に対して軸線に沿って上下の摺動・移動することができる。前記固定ロッド３０が備えるスクリュー３１の末端に凸リング３２が固定接続され、前記凸リング３２に環状凸リング３２が固定接続され、且つ前記環状凸リング３２に接続ロッド３３が固定接続され、スレッドインサート４０に前記スクリュー３１が螺合され、前記第１のばね９１が固定ロッド３０とカップ体６１の前端面のガスケット８５との間に押し付け、接続ロッド３３に固定接続されている前記第１の磁石８１が固定ロッド３０と共に軸スリーブに沿って上下に移動することができ、前記第２のばね９２の一端がカップ体６１のカップ底及び栓６０に押し付けることができ、前記第２のばね９２の他端に第２の磁石８０に押し付け、前記第２の磁石８２が栓６０に対して軸線に沿って移動することができ、前記第１の磁石８１と第２の磁石８２とが互いに磁気的に吸引され、前記調整台７０を回転・調整することにより、第２の磁石８２と、栓６０及びカップ体６１のカップ底に配合し、第２の磁石８２と、カップ体のカップ底及び栓６０との間のピッチを調整して、栓６０及び第２の磁石８２に配合し、、第２の磁石８２と第１の磁石８１との間のピッチを調整して近づけ、第２の磁石と第１の磁石とが磁気的に吸引され、共に接続スリーブ内にストップすることができ、蝶番の羽根を要求のストップ角度にストップすることができる。前記蝶番の羽根自身が設定可能な角度にある角度の位置にストップする必要がある場合、前記蝶番の羽根が要求のストップ角度の位置にオープンする際に、前記蝶番の羽根が軸スリーブ内の接続スリーブ５０内のスレッドインサートを回転させるため、前記固定ロッドに備えられるスクリューがスレッドインサートに対して軸線に沿って下へ摺動及び移動することができ、同時に前記固定ロッドに備えられるスクリュー及び第１の磁石が蝶番の羽根に配合して蝶番の羽根を要求のストップ角度の位置までオープンするように下へ移動する。この時、前記蝶番の羽根がストップ機能を備えない。前記蝶番の羽根が要求のストップ角度にストップするために、栓内の調整台を回転・調整する必要があり、これにより、栓、第２の磁石及びカップ体のカップ底に配合し、第２の磁石と第１の磁石との間のピッチを調整して近づけ、第２の磁石と第１の磁石とが磁気的に吸引され、共に接続スリーブ内にストップすることができ、蝶番の羽根を要求のストップ角度にストップすることができる。また、前記蝶番１０の羽根１２が蝶番の羽根な設定可能の最大限界点である１８０°までオープンした後、蝶番の羽根自身が栓内の調整台により調整後の元々のストップ角度に対応する位置に戻ることができることや、調整後の元々のストップ角度に対応する位置を離れてストップ角度の以下に対応する位置である場合、蝶番の羽根が自閉機能を実現することができる。前記第１の磁石８１と第２の磁石８２との磁気的吸引力は、第１のばね９１が蓄える弾力より大きい。前記ヒンジの第１の磁石は、磁力を蓄えない鉄鋼でもよいが、第１の磁石は、磁力を蓄えない鉄鋼でもよい。前記スライド凸リング３２は、凸リング３２である。前記接続スリーブ５０は、中心スリーブ５０である。
【００１２】
前記固定ロッド３０が備えるスクリュー３１の末端に凸リング３２が固定接続され、前記凸リング３２に環状凸リング３２が固定接続され、且つ前記環状凸リング３２に接続ロッド３３が固定接続され、前記凸リング３２と、環状凸リング３２とが共に固定接続されることにより、凸リング３２を構成し、前記環状凸リング３２の外環の周方向に環状凹溝３２１が凹設され、且つ前記環状凸リング３２の環状凹溝３２１にシールリング３２２が嵌合され、且つ前記シールリング３２２が接続スリーブ５０内に封止的に当接するように環状取り付け溝３２１の外へ突出する。且つ前記シールリング３２２が環状凸リング３２に配合して接続スリーブ５０の中に、上下の摺動及び移動を行うことができる。接続スリーブ５０において、シールダンパー及び抵抗を発生し、接続スリーブにおける環状凸リング３２の上下の摺動及び移動によるシールダンパー及び抵抗の作用を、何倍に増強することができ、接続スリーブ５０における環状凸リング３２のストップの強度を何倍に増強することができ、同時に、第２の磁石８２及び第１の磁石８１が蓄える磁気的吸引力を補強・放出することに配合して、強い磁気的吸引力で第２の磁石と第１の磁石とが共に接続スリーブ内にストップすることができ、蝶番１０の羽根１２自身のストップの強度の増強を実現することができ、第１のばね９１が蓄える弾力の放出を制限・制御し、第１のばね９１が蓄える弾力が、固定ロッド３０が備える環状凸リング３２に対する押し付け力の大きさ及び押し付けの速度を緩和することができ、蝶番１０の羽根１２の自閉速度の速さを制限・制御することができ、前記調整可能なストップ角度及び自閉機能を有する高密閉ドア用ヒンジの安全性を向上することができる。
【００１３】
好ましいことは、接続スリーブ５０内に第１のフランジ５１が設けられ、接続スリーブ５０における第１のフランジ５１が、ねじリング４３の環状凹溝４０３に当接することができるため、接続スリーブ５０における第１のフランジ５１がねじリングの環状凹溝４０３を嵌合することができ、ねじリング４３と、第１のフランジ５１と、接続スリーブ５０とが共に接続スリーブ５０内に固定接続され、前記ねじリング４３が回転・摺動することができない状態で接続スリーブ５０内に固定接続され、前記ねじリング４３に貫通孔が凹設され、且つ前記ねじリング４３の貫通孔の内環の周方向の先端にねじリングの内環フランジ４３３が凸設されることにより、前記ねじリングの内環フランジが凸リングの摺動軌道である凹溝内に当接することができ、前記凸リングの摺動軌道である凹溝ねじリングの内環フランジに配合するがことができ、スレッドインサートに対して軸線に沿って上下の摺動及び移動や軸方向及び周方向のピッチを変動しないように固定ロッドをストップ・制限することができる。これにより、蝶番１０の羽根１２のストップ角度を５０°〜１８０°に設定することができ、例えば、前記蝶番１０の羽根１２の設定可能なストップ角度の範囲に、ストップ角度として９０°を設定する場合、前記蝶番１０の羽根１２が設定可能なストップ角度の範囲にある９０°のストップ角度に対応する位置にオープンする際に、前記蝶番１０の羽根１２が軸スリーブにおける接続スリーブ５０内のスレッドインサートを回転させ、固定ロッドに備えられるスクリューの２本以上である６本の直斜度ネジピッチの雄ねじが、スレッドインサートの２本以上である６本の直斜度ネジピッチの雌ねじに対して軸方向に沿って下へ摺動・移動することができ、スクリューの６本の直斜度ネジピッチの雄ねじがスレッドインサートの６本の直斜度ネジピッチの雌ねじに対して軸方向に沿って下へ摺動・移動することができ、同時に前記固定ロッドに備えられるスクリュー及び第１の磁石が、蝶番１０の羽根１２に配合して蝶番１０の羽根１２を９０°のストップ角度に対応する位置までオープンするように下へ移動する。この時、前記蝶番の羽根がストップ機能を備えない。前記蝶番の羽根をストップ角度である９０°に対応する位置にストップするために、栓６０内の調整台を回転・調整することにより、栓６０、第２の磁石及びカップ体６１のカップ底に配合し、第２の磁石と第１の磁石との間のピッチを調整して近づけ、第２の磁石と第１の磁石とが磁気的に吸引され、共に接続スリーブ内にストップすることができ、蝶番１０の羽根１２を９０°のストップ角度に対応する位置にストップすることができる。また、前記蝶番１０の羽根１２が蝶番の羽根の設定可能な最大限界点である１８０°に対応する位置から解除した後、第１のばね９１は、固定ロッド３０が備える環状凸リング３２により圧縮される弾力を蓄える状態から変化して、蓄える弾力を放出し、前記第１のばね９１の一端が環状凸リング３２を強く押し付け、且つ前記第１のばね９１の他端が蓄える弾力がガスケット８５及カップ体６１の前端の周方向平面を強く押し付けることにより、蝶番１０の羽根１２自身が栓内の調整台により調整後の元々の９０°のストップ角度に対応する位置に戻ることができる。蝶番の羽根の角度が栓内の調整台により調整後の元々の９０°のストップ角度に対応する位置を離れてストップ角度の以下に対応する位置である場合、蝶番１０の羽根１２が自閉機能を実現することができる。前記ねじリング４３がスレッドインサートの下に位置づけられ、且つ、前記スクリュー３１がねじリング貫通孔を嵌合・挿通し、スレッドインサート４０に螺合される。前記凸リング３２の外環の側面に凸リング摺動軌道である凹溝３３２が凹設され、且つ前記ねじリングの貫通孔の内環の周方向の先端にねじリングの内環フランジ４３３が凸設されることにより、前記ねじリングの内環フランジが凸リング摺動軌道である凹溝内に当接することができ、前記凸リングの摺動軌道である凹溝３３２がねじリングの内環フランジ４３３に配合することができ、スレッドインサートに対して軸線に沿って上下の摺動及び移動や軸方向及び周方向のピッチを変動しないように固定ロッドをストップ・制限し、蝶番１０の羽根１２に配合してストップ角度を設定することができる。前記ねじリング４３が凸リング摺動軌道である凹溝３３２に配合することにより、スレッドインサートに対して軸線に沿って上下の摺動及び移動や軸方向及び周方向のピッチを変動しないように固定ロッドをストップ・制限し、蝶番の羽根に配合してストップ角度を任意的に設定することができ、蝶番１０羽根１２の予め設定したストップ角度に配合する。接続スリーブ５０内に第３のフランジ５３が設けられ、第３のフランジ５３が接続スリーブ５０における第１の軸受の環状凹溝５３０に当接することができることにより、接続スリーブ５０における第３のフランジ５３が、第１の軸受の環状凹溝５３０に嵌合されることができ、第１の軸受４４及び第３のフランジ５３が接続スリーブ内に固定接続されることができ (接続スリーブ内に第３のフランジ５３が設けられ、接続スリーブ５０内に、第３のフランジ５３が第１の軸受の環状凹溝５３０に嵌合されることができるため、第１の軸受４４の軸方向への移動を限制することができる)、前記スレッドインサート４０が備える細ロッド４２が、第１の軸受４４貫通孔を嵌合・挿通し、前記固定ロッド３０が備える接続ロッド３３と、第１のばねと、接続スリーブとの間にも第２の軸受３４が設けられ、前記第２の軸受３４は、蝶番１０羽根１２のオープン及びオフの回転をスムーズになるように補助する。前記第１のばね９１が接続ロッド３３に嵌合され、且つ第２の軸受３４とカップ体６１の前端面のガスケット８５との間に押し付ける。接続スリーブ５０内に第２のフランジ５２が設けられ、接続スリーブ５０における第２のフランジ５２が、栓６０の環状凹溝５２０内に当接することができることにより、接続スリーブ５０における第２のフランジ５２が、嵌栓６０の環状凹溝５２０に嵌合されることができ、栓６０と、第２のフランジ５２とが接続スリーブ内に固定接続され、且つ、軸スリーブ２１内に接続スリーブから突出する前記栓６０の部分が固定接続されている。前記第１の磁石底部に凸リング縁部８１１が凸設され、前記第１の磁石にガスケット８５が外嵌され、前記ガスケット８５がカップ体６１の前端面に当接し、前記第１のばねがガス���ット８５と第２の軸受３４との間に押し付ける。前記ねじリングの内環フランジ４３３が摺接摺動スリーブ３３３に嵌合されることにより、摺動スリーブ３３３が嵌合されているねじリング内環フランジ４３３が、凸リングの摺動軌道である凹溝３３２内に当接することができ、摺動スリーブ３３３が嵌合されているねじリングの内環フランジ４３３が、固定ロッド３０が備える凸リングの摺動軌道である凹溝３３２に配合することができ、固定ロッドがスレッドインサートに対して軸線に沿って上下の摺動及び移動、及び蝶番の羽根のオープン及び自閉をさらにスムーズになる。
【００１４】
前記ねじリング４３がスレッドインサートの下に位置づけられ、且つ前記スクリュー３１がねじリング４３を挿通し、スレッドインサート４０に螺合されることで、前記ねじリング４３により、前記スクリュー３１がスレッドインサート４０に対する回転及び移動を限制することができ、スレッドインサートに対して軸線に沿って上下の摺動及び移動や軸方向及び周方向のピッチを変動しないように固定ロッドをストップ・制限することができる。これにより、設定可能な角度の範囲に、蝶番の羽根のストップ角度を任意的に設定することができる。
【００１５】
第１のねじ８３と、第２のねじ８４と、固定接続用ねじ９８とを更に含み、前記第１のねじ８３及び第２のねじ８４は、いずれもロッド部及び末端のねじ部８３１、８４１を有する。前記第１のねじ８３のロッド部は、第１の磁石８１の内環貫通孔を挿通し、且つねじ部８３１が固定ロッド３０の接続ロッド３３のねじ貫通孔に螺合されることで、前記第１のねじ８３のスクリューヘッド８３２が第１の磁石８１の内環貫通孔段差部８０を支持することにより、第１の磁石８１と接続ロッド３３とが共に固定接続され、第１の磁石８１と固定ロッド３０と共に上下の摺動及び移動を行うことができ、また、第１の磁石が第１のねじから離脱しないように制御することができ、栓６０内の調整台７０に配合して、前記調整台７０を回転・調整することにより、栓６０、第２の磁石８２及びカップ体６１のカップ底に配合し、第２の磁石８２及び第１の磁石８１との間のピッチを調整して近づけ、第２の磁石と第１の磁石とが磁気的に吸引され、共に接続スリーブ内にストップすることができ、蝶番１０の羽根１２を要求のストップ角度に対応する位置にストップすることができる。前記第２のねじ８４のロッド部は、第２の磁石８２の内環貫通孔を挿通し、且つねじ部８４１が調整台７０末端面のねじ貫通孔に螺合されることで、前記第２のねじ８４のスクリューヘッド８４２が第２の磁石８２の内環貫通孔の段差部８２を支持することにより、第２の磁石８２と、第２のねじ８４と、調整台７０とが共に接続され、第２の磁石８２が第２のねじ８４から離脱しないように制御することができ、第２の磁石８２が栓６０及びカップ体６１のカップ底６１に配合し、前記調整台７０を回転・調整することにより、第１の磁石８１と第２の磁石８２との間のピッチを調整して、第２の磁石と第１の磁石とが磁気的に吸引され、共に接続スリーブ内にストップすることができ、蝶番の羽根を要求のストップ角度に対応する位置にストップすることができる。固定接続用ねじ９８が、軸スリーブ２１のねじ貫通孔に螺進・挿通され、栓６０に螺進され、調整台７０に係合することにより、調整台７０をロッキング・固定することができるが、この時、軸スリーブ２１及び栓６０と配合して調整台７０をロッキング・固定する時点ではなく、前記調整台７０を回転・調整することにより、栓６０、第２の磁石８２及びカップ体６１のカップ底に配合し、第２の磁石８２と第１の磁石８１との間のピッチを調整して近づけ、第２の磁石と第１の磁石とが磁気的に吸引され、共に接続スリーブ内にストップすることができ、蝶番の羽根自身を要求のストップ角度にストップした後に、固定接続用ねじを介して調整台の移動を防止するように調整台をロンキング・固定する。前記固定接続用のねじ９８が軸スリーブ１１を挿通し、且つ回転リング４１を挿通して細ロッド４２に固定接続されていることにより、軸スリーブ１１と、回転リング４１と、細ロッド４２とが共に固定接続されているため、蝶番１０羽根１２をオープンすると共に、スレッドインサート４０を回転させ、スクリュー３１がスレッドインサート４０に対して軸線に沿って上下の摺動及び移動を行うことができる。
【００１６】
一実施形態において、前記調整台７０は、第３のねじであり、前記第３のねじが栓の突出部分に螺合・挿通され、且つカップ体のカップ底に押し付け、第３のねじを回転・調整することにより、栓、第２の磁石及びカップ体のカップ底に配合し、第２の磁石と第１の磁石との間のピッチを調整することができ、第２の磁石と第１の磁石とが磁気的に吸引され、共に接続スリーブ内にストップすることができ、蝶番１０の羽根１２を要求のストップ角度に対応する位置にストップすることができる。前記第２のねじ８４のねじ部８４１が栓６０の調整台の７０末端面内に螺合されることが好ましい。前記第２のばね及び第２の磁石は、いずれも全てがカップ体の中に位置づけられ、前記第２の磁石がカップ体と配合して摺動接続され、前記第１の磁石の下部がカップ体と配合して摺動接続されている。前記スクリューは、スレッドインサート及びねじリングにより、前記スクリューの雄ねじをスレッドインサートの雌ねじと配合するように制御され、ねじリングの内環フランジ４３３が、固定ロッド３０が備える凸リングの摺動軌道である凹溝３３２に配合することができる。これにより、スレッドインサートに対して軸線に沿って上下の摺動及び移動や軸方向及び周方向のピッチを変動しないように固定ロッドをストップ・制限することができる。設定可能な範囲において、蝶番の羽根のストップ角度を任意的に設定することができる。蝶番１０の羽根１２は、予め設定したストップ角度である９０°を超えた１２５°の位置にオープンする場合、第１のばね９１は、固定ロッド３０が備える環状凸リング３２により圧縮され、弾力を蓄える状態であり、蝶番１０の羽根１２が１２５°に対応する位置から解除する時、前記第１のばね９１が蓄える磁力状態が変化して、蓄える弾力を放出し、前記第１のばね９１の一端が環状凸リング３２を強く押し付け、且つ、前記第１のばね９１の他端がガスケット８５及カップ体６１の前端の周方向平面を強く押し付け、同時に、前記第２のばね９２も第１の磁石８１及び第２の磁石８２に配合して固定ロッド３０が備える環状凸リング３２により圧縮され、弾力を蓄える状態であり、蝶番１０の羽根１２が１２５°の位置から解除する時、前記第２のばね９２が蓄える磁力状態を変化して、蓄える弾力を放出し、前記第２のばね９２の一端が第２の磁石８２を強く押し付け、且つ、前記第２のばね９２の他端がカップ体６１のカップ底を強く押し付け、第１のばね９１及び第２のばね９２により蝶番１０の羽根１２を戻りに閉鎖することができ、第１のばね９１及び第２のばね９２により、蝶番１０の羽根１２自身を予め設定したストップ角度である９０°に対応する位置にリセットすることができる。
【００１７】
実施例２
実施例１との相違点は、図２９〜図３３を参照する。前記固定台の固定板の下部に凸台が凸設され、前記凸台は、固定板の半分ほどを占める。前記蝶番軸スリーブが凸台の上に位置づける。前記蝶番１０は、軸スリーブ１１と、軸スリーブ１１外に固定接続されている羽根１２とを含み、前記固定台２０は、固定板２５と、垂直底板２２と、垂直底板２２上に固定接続されている凸台２３とを含み、前記凸台２３の垂直底板２２の端面に軸スリーブ２１が凹設される。前記接続スリーブ５０が、軸スリーブ１１と凸台２３の軸スリーブ内２１との間に接続され、前記軸スリーブ１１と軸スリーブ２１とが並設されることにより、蝶番１０の羽根１２が、固定台２０及び凸台２３が備える軸スリーブ２１に対して回転することができ、高密閉凸ドア用ヒンジ及び高密閉平ドア用ヒンジを構成することができる。前記スレッドインサート４０が、摺動できず、回転するように軸スリーブ１１の接続スリーブ５０内に接続され、前記蝶番１０の軸スリーブ１１における回転リング４１に、スレッドインサート４０の細ロッド４２の接続スリーブ５０から突出する部分が固定接続され、前記スレッドインサート４０の上部に細ロッド４２が凸設され、前記スレッドインサート４０が備える細ロッド４２が、第１の軸受４４の貫通孔と、回転リング４１の貫通孔とをを回転するように挿通することができ、前記回転リング４１が軸スリーブ１１内の上部に位置づけられ、固定接続用のねじ９８を介して軸スリーブ１１のねじ貫通孔に螺進・挿通され、且つ回転リング４１を挿通して細ロッドに固定接続されることにより、軸スリーブ１１と、回転リング４１と、細ロッドとが共に固定接続されることができるため、スレッドインサートに対して軸線に沿って上下の摺動及び移動や軸方向及び周方向のピッチを変動しないように固定ロッドをストップ・制限し、蝶番の羽根のストップ角度を任意的に設定することができる。接続スリーブ５０内に第２のフランジ５２が設けられ、栓６０の外環周方向の環状凹溝５２０が、第２のフランジ５２及び接続スリーブ５０に配合することにより、栓６０と、第２のフランジ５２と、接続スリーブ５０とが共に接続スリーブ５０内に固定接続されている。前記栓６０の接続スリーブ５０から突出する部分が、固定接続用ねじ９８を介して軸スリーブ２１のねじ貫通孔に螺進・挿通され、栓６０に螺進され、調整台７０に係合することにより、調整台７０をロッキング・固定することができるが、この時は、固定接続用ねじ９８が、軸スリーブ２１及び栓６０と配合して調整台７０をロッキング・固定するする時点ではなく、前記調整台７０を回転・調整することにより、栓６０と、第２の磁石８２及びカップ体６１のカップ底に配合し、第２の磁石８２及び第１の磁石８１との間のピッチを調整して近づけ、第２の磁石と第１の磁石とが磁気的に吸引され、共に接続スリーブ５０内にストップすることができ、蝶番の羽根自身を要求のストップ角度に対応する位置にストップした後に、固定接続用ねじ９８を介して調整台の移動を防止するように前記調整台７０をロッキング・固定する。前記スレッドインサートと栓との間に間隔があり、前記接続スリーブ内のスレッドインサートと栓との間に固定ロッド３０と、ねじリング４３と、第１の磁石８１と、第２の磁石８２と、カップ体６１と、ガスケット８５と、第１のばね９１と、第２のばね９２とが設けられ、前記固定ロッド３０がスクリュー３１を備え、前記第１の磁石８１と第２の磁石８２とが互いに磁気的に吸引される。前記スライド凸リング３２は、凸リング３２である。前記接続スリーブ５０は、中心スリーブ５０である。
【００１８】
実施例３
実施例１との相違点は、図３４を参照して、調整可能なストップ角度及び自閉機能を有する高密閉ドア用ヒンジは、蝶番と、固定台と、固定ロッドと、スレッドインサートとを含み、前記スレッドインサート４０が備える細ロッド４２が固定ロッド３０及び固定台２０に対して回転することができ、前記細ロッド４２が羽根１２を構成する。固定接続用ねじ９８を介して前記細ロッド４２が高密閉ドア用の蝶番に固定接続されるため、前記軸スリーブ１１が接続スリーブ５０を構成し、前記蝶番が固定台に対して回転することができ、前記固定ロッドがスクリューを備える。栓及び調整台を更に含み、前記スレッドインサートが回転することができるが、移動することができない状態で軸スリーブの一端内に接続され、前記ねじリング４３が固定接続用ねじ９８を介して軸スリーブ１１のねじ貫通孔に固定接続され、前記ねじリング４３がスレッドインサート４０を支持することができることにより、スレッドインサート４０が下へ落ちることを防止し、且つ、前記栓が軸スリーブの他端に固定接続され、前記スレッドインサートと栓との間に間隔があり、前記軸スリーブ内のスレッドインサートと栓との間に固定ロッドと、ねじリング４３と、第１の磁石と、第２の磁石と、カップ体と、ガスケットと、第１のばねと、第２のばねとが設けられ、前記固定ロッドのスクリューがスレッドインサートに螺合され、前記第１のばねが固定ロッドとカップ体の前端面とガスケットとの間に押し付け、前記第１の磁石が固定ロッドと共に摺動・移動することができ、前記第２のばねの一端がカップ体のカップ底及び栓に押し付け、前記第２のばねの他端が第２の磁石に押し付けられ、前記第２の磁石が栓に対して移動することができ、前記第１の磁石と第２の磁石とが互いに磁気的に吸引され、調整台を調整・回転することにより、第２の磁石、栓及びカップ体のカップ底に配合することができ、第２の磁石と栓との間のピッチの位置を調整して近づけることができ、第２の磁石と第１の磁石とが磁気的に吸引され、接続スリーブ内に共にストップすることができる。前記調整台が蝶番の羽根の予め設定したストップ角度に配合することにより、蝶番の羽根自身が設定可能な角度の範囲にある予め設定した角度に対応する位置点にストップすることができる。
【００１９】
接続スリーブ５０内に移動できるように設けられるカップ体６１を更に含み、前記第２のばね９２がカップ体６１のカップ底と第２の磁石８２との間に押し付け、カップ体６１のカップ底と栓６０とが接続され、カップ底と栓との間のピッチを調整するための前記調整台７０であり、カップ底と栓との間のピッチを調整することにより、栓と第２の磁石との間のピッチを調整して近づけることができ、第２の磁石と第１の磁石との間のピッチを調整して近づけることができ、蝶番１０の羽根１２自身を要求のストップ角度に対応する位置ににストップすることができる。
【００２０】
固定接続用ねじ９８を介して (ここで、細ロッド４２は、蝶番１０の羽根１２である)高密閉ドア用蝶番に細ロッド４２が固定接続され、スレッドインサートに対して軸線に沿って上下の摺動及び移動や軸方向及び周方向のピッチを変動しないように固定ロッドをストップ・制限することができ、蝶番１０の軸スリーブ１１内のスクリュー３１とスレッドインサート４０との配合により相対的に回転することができ、固定接続用ねじ９８を介して接続スリーブ５０を挿通し、ねじリング４３に螺進・係合されることにより、ねじリング４３が摺動できない状態で接続スリーブ５０内に固定接続され、前記ねじリング４３にスレッドインサートの下に位置づけられ、且つ前記スクリュー３１がねじリング４３を挿通し、スレッドインサート４０に螺合される。且つ、前記ねじリングの貫通孔の内環の周方向の先端にねじリングの内環フランジ４３３が凸設されることにより、前記ねじリングの内環フランジが凸リングの摺動軌道である凹溝内に当接することができ、前記凸リングの摺動軌道である凹溝３３２がねじリングの内環フランジ４３３に配合することができ、スレッドインサートに対して軸線に沿って上下の摺動及び移動や軸方向及び周方向のピッチを変動しないように固定ロッドをストップ・制限することができ、前記蝶番の羽根が９０°に対応する位置までオープンする際に、接続スリーブにおけるスレッドインサートを回転させることができ、固定ロッドに備えられるスクリューの２本以上である６本の直斜度ネジピッチの雄ねじが、スレッドインサートの２本以上である６本の直斜度ネジピッチの雌ねじに対して軸方向に沿って下へ摺動・移動することができ、スクリューの６本の直斜度ネジピッチの雄ねじがスレッドインサートの６本の直斜度ネジピッチの雌ねじに対して軸方向に沿って下へ摺動・移動することができ、同時に前記固定ロッドに備えられるスクリュー及び第１の磁石が蝶番１０の羽根１２に配合して蝶番１０の羽根１２を９０°のストップ角度に対応する位置までオープンするように下へ移動する。この時、前記蝶番の羽根がストップ機能を備えない。前記蝶番の羽根が９０°の予め設定した角度にストップするために、栓６０内の調整台を回転・調整することにより、栓６０、第２の磁石及びカップ体６１のカップ底に配合し、第２の磁石と第１の磁石との間のピッチを調整して近づけ、第２の磁石と第１の磁石とが磁気的に吸引され、共に接続スリーブ内にストップすることができ、蝶番１０の羽根１２自身を要求のストップ角度に対応する位置にストップすることができ、、前記蝶番の羽根の角度が予め設定した９０°ストップ角度の以下に対応する位置の場合、蝶番の羽根が自閉機能を実現することができる。
【００２１】
実施例４
実施例１との相違点は、図３５を参照する。調整可能なストップ角度及び自閉機能を有する高密閉ドア用ヒンジは、蝶番と、固定台と、固定ロッドと、スレッドインサートとを含み、前記スレッドインサート４０が備える細ロッド４２が、固定ロッド３０及び固定台２０に対して回転することができ、前記細ロッド４２が羽根１２を構成する。固定接続用ねじ９８を介して前記細ロッド４２が高密閉ドア用の蝶番に固定接続されるため、前記軸スリーブ１１が接続スリーブ５０を構成し、前記蝶番が固定台に対して回転することができ、前記固定ロッドがスクリューを有する。栓及び調整台を更に含み、前記スレッドインサートが回転することができるが、移動することができない状態で軸スリーブの一端に接続され、前記ねじリング４３が固定接続用ねじ９８を介して軸スリーブ１１のねじ貫通孔に固定接続され、前記ねじリング４３がスレッドインサート４０を支持することができることにより、スレッドインサート４０が下へ落ちることを防止し、且つ、前記栓が軸スリーブの他端に固定接続され、前記スレッドインサートと栓との間に間隔があり、前記軸スリーブ内のスレッドインサートと栓との間に固定ロッドと、ねじリング４３と、第１の磁石と、第２の磁石と、カップ体と、ガスケットと、第１のばねと、第２のばね９２とが設けられ、前記固定ロッドのスクリューがスレッドインサートに螺合され、前記第１のばねが固定ロッドとカップ体の前端面とガスケットとの間に押し付け、前記第１の磁石が固定ロッドと共に摺動・移動することができ、前記第２のばねの一端がカップ体のカップ底及び栓に押し付け、前記第２のばねの他端が第２の磁石に押し付けられ、前記第２の磁石が栓に対して移動することができ、前記第１の磁石と第２の磁石とが互いに磁気的に吸引され、調整台を調整・回転することにより、第２の磁石、栓及びカップ体のカップ底に配合することができ、第２の磁石と栓との間のピッチの位置を調整して近づけ調整して近づけることができ、第２の磁石と第１の磁石とが磁気的に吸引され、接続スリーブ内に共にストップすることができる。前記調整台が蝶番の羽根の予め設定したストップ角度に配合することにより、蝶番の羽根自身が設定可能な角度の範囲にある予め設定した角度に対応する位置にストップすることができる。
【００２２】
一実施形態において、前記固定ロッド３０が固定接続されているスクリュー３１を備え、且つ前記スクリュー３１に固定接続されている凸リング３２も備える(且つ、前記凸リング３２と環状凸リング３２とが共に固定接続されているにより、凸リング３２を構成することができる)。前記羽根のストップ角度補助調整用ガスケット６１６がカップ体６１のカップ底を構成する(前記羽根のストップ角度補助調整用ガスケット６１６は、カップ体６１のカップ底である)。前記固定ロッド３０が備えるスライド凸リング３２の外環周面に環状の取り付け溝８１１が凹設され、前記取り付け溝８１１内にガス漏れ防止用シールリング８２４が設けられ、前記シールリング８２４が取り付け溝８１１から突出することにより、軸スリーブ１１内に封止的に当接することができ(接続スリーブ５０)、軸スリーブ１１におけるスクリューがスレッドインサートに対して軸線に沿って上下の摺動及び移動を安定化することに寄付し、軸方向及び周方向のピッチを保つ。前記調整台第２の磁石、栓及び羽根のストップ角度補助調整用ガスケット６１６に配合することにより、第２の磁石と第１の磁石との間のピッチを調整して近づけることができ、第２の磁石と第１の磁石とが磁気的に吸引され、共に接続スリーブ内にストップすることができ、前記調整台を調整・配合することにより、蝶番の羽根自身を要求のストップ角度にストップすることができ前記蝶番の羽根の角度が予め設定したストップ角度の以下の場合、蝶番の羽根が自閉機能を実現することができる。前記固定スライドロッド３３９に摺動スリーブ３３３が摺接・嵌合され、摺接・嵌合された摺動スリーブ３３３を備えるねじリングの内環フランジ４３３が凸リングの摺動軌道である凹溝３３２内に当接することができ、摺接・嵌合された摺動スリーブ３３３を備えるねじリングの内環フランジ４３３が、固定ロッド３０が備える凸リング３２の凸リングの摺動軌道である凹溝貫通孔３３２に配合することができ、固定ロッドがスレッドインサートに対して軸線に沿って上下の摺動及び移動、及び蝶番の羽根のオープン及び自閉をさらにスムーズになる。前記凸リング３２は、環状凸リング３２であり、且つ、前記凸リング３２と環状凸リング３２とが共に固定接続されていると、凸リング３２を構成することができる。前記第２のばね９２が、固定ロッド３０が備える環状凸リング３２と、ばねガスケット９３及び第１の磁石８１との間に位置づけられ、蝶番１０の羽根１２は、予め設定したストップ角度である９０°を超えた１２５°の位置にある場合、前記第２のばね９２は、固定ロッド３０が備える環状凸リング３２及び第１の磁石８１により強く圧縮され、弾力を蓄える状態であり、蝶番１０の羽根１２が１２５°の位置から解除する時、前記第２のばね９２が蓄える磁力状態を変化して、蓄える弾力を放出し、前記第２のばね９２の一端が第２の磁石８２を強く押し付け、且つ、前記第２のばね９２の他端がカップ体６１のカップ底を強く押し付け、第２のばね９２により蝶番１０の羽根１２を戻りに閉鎖することができ、第２のばね９２により蝶番１０の羽根１２を予め設定したストップ角度である９０°にリセットすることができる。蝶番１０の羽根１２は、予め設定した���トップ角度である９０°を超えた１２５°の位置にあり、同時に、前記第２のばね９２は、固定ロッド３０が備える環状凸リング３２及び第１の磁石８１ により強く圧縮され、弾力を蓄える状態であり、蝶番１０の羽根１２が１２５°の位置から解除する時、前記第２のばね９２が蓄える磁力状態を変化して、蓄える弾力を放出し、前記第２のばね９２の一端が第２の磁石８２を強く押し付け、且つ、前記第２のばね９２の他端がカップ体６１のカップ底を強く押し付け、第２のばね９２により蝶番１０の羽根１２を戻りに閉鎖することができ、第２のばね９２により蝶番１０の羽根１２を予め設定したストップ角度である９０°にリセットすることができる。
【００２３】
実施例５
実施例１との相違点は、図３６〜図４３を参照する。一実施形態において、前記固定ロッドに備えられるスクリューの末端も固定接続されているスライド凸リング３２を備え、前記スライド凸リング３２も固定接続されている凸リング３２を備え、前記凸リング３２も固定接続されている接続ロッド３３を備え、前記スクリュー３１にスクリュープルリング３１１が固定接続され、前記フックロッド３１３の寸法が回転リング４１の貫通孔に配合し、且つ細ロッド４２の上端に平置き、前記スレッドインサート４０及びスレッドインサート４０が備える細ロッド４２に、引っ張りばねを配置するように貫通孔３１５が設けられるため、引っ張りばね３１８の両端に前フック３２８と、後フック３３８とが固定接続され、前記引っ張りばね３１８が備える前フック３２８が、フックロッド３１３に掛けられ、前記引っ張りばね３１８が備える後フック３３８が、スクリュープルリング３１１に掛けられることにより、前記引っ張りばね３１８により固定ロッドに備えられるスクリュー３がスレッドインサートに対して軸線に沿って上下のピッチ位置を変動しないように制御することができる。前記第２のばね９２が、固定ロッド３０が備える環状凸リング３２と、ばねガスケット９３と、第１の磁石８１との間に位置づける。摺動スリーブ３３３が嵌合されるねじリング内環フランジ４３３が、凸リング摺動軌道である凹溝３３２内に当接することができ、摺動スリーブ３３３が嵌合されるねじリングの内環フランジ４３３が、固定ロッド３０が備える凸リングの摺動軌道である凹溝３３２に配合することができ、固定ロッドがスレッドインサートに対して軸線に沿って上下の摺動及び移動を行うことや、蝶番の羽根のオープン及び自閉をさらにスムーズになる。前記固定ロッドに備えられるスクリューの末端に凸リング３２が固定接続され、前記凸リング３２に環状凸リング３２が固定接続され、且つ前記環状凸リング３２に接続ロッド３３が固定接続され、前記凸リング３２と環状凸リング３２とが共に固定接続されることにより凸リング３２を構成し、前記環状凸リング３２の外環の周方向に環状凹溝３２１が凹設され、且つ前記環状凸リング３２の環状凹溝３２１にシールリング３２２が嵌合され、且つ前記シールリング３２２が接続スリーブ５０内に封止的に当接するように環状取り付け溝３２１の外に突出する。軸スリーブ１１におけるスクリューが、スレッドインサートに対して軸線に沿って上下の摺動及び移動を安定化することに寄付し、前記ガス漏れ防止用シールリングも第２の磁石と第１の磁石との磁気的吸引力を増加・補強する機能を有するため、強い磁気的吸引力で第２の磁石と第１の磁石と共に接続スリーブ内にストップすることができ、蝶番の羽根自身が予め設定した角度にストップする能力を更に向上することができる。前記羽根のストップ角度補助調整用ガスケット６１６がカップ体６１のカップ底を構成し、且つ前記カップ体６１のカップ底は、ガスケット８５に相当することができる。前記第１の磁石ケース８１１が固定接続用ねじ９８を介して第１の磁石ケース８１１の側面の周方向貫通孔を挿通し、第１の磁石８１に螺進・係合され、これにより、第１の磁石ケース８１１と第１の磁石８とが共に固定接続されている。また、エポキシ樹脂または他の樹脂からなる粘着剤を介して、第１の磁石８１と第１の磁石ケース８１とが共に固定接続されていることもできる。前記第１のねじ８３が第１の磁石ケース８１１の貫通孔及びゴム柱９２２を挿通し、環状凸リング３２に螺合・係合されることにより、環状凸リング３２と、第１の磁石ケース８１１と、第１の磁石８１と、ゴム柱９２２及び環状凸リング３２とが共に接続されている。前記第２の磁石ケース８２２が固定接続用ねじ９８を介して第２の磁石ケース８２２の側面の周方向貫通孔を挿通し、第２の磁石８２に螺合・係合されることにより、第２の磁石ケース８２２と第２の磁石８２とが共に固定接続されている。また、エポキシ樹脂または他の樹脂からなる粘着剤を介して、第２の磁石８２と第２の磁石ケース８２２とが共に固定接続されている。前記調整台７０が第２の磁石ケース８２２に螺合・係合されることにより、第２の磁石ケース８２２と調整台７０とが共に固定接続されている。調整台７０を回転・調整することにより、栓６０、第２の磁石８２及び第２の磁石ケース８２２に配合し、第２の磁石８２と第１の磁石８１との間のピッチを調整して近づけ、蝶番の羽根自身が予め設定した角度の位置にストップすることができる。
【００２４】
蝶番１０の羽根１２は、予め設定したストップ角度である９０°を超えた１２５°の位置にある場合、前記ゴム柱９２２は、固定ロッド３０が備える環状凸リング３２及び第１の磁石ケース８１１により強く圧縮され、弾力を蓄える状態であり、蝶番１０の羽根１２が１２５°の位置から解除する時、前記ゴム柱９２２が蓄える状態が変化して、蓄える弾力を放出し、前記ゴム柱９２２の一端が環状凸リング３２を強く押し付け、且つ、前記ゴム柱９２２の他端が第１の磁石ケース８１１を強く押し付け、ゴム柱９２２により蝶番１０の羽根１２を戻りに閉鎖することができ、ゴム柱９２２により蝶番１０の羽根１２を予め設定したストップ角度である９０°にリセットすることができる。
【００２５】
以上の内容は、本発明の好ましい実施例を例示として示すに過ぎないので、本発明の保護範囲を限定するものと理解されるべきではない。即ち、本発明の請求の範囲及び明細書に基づいて作成した同等物及び変更は、本発明の保護範囲に属するべきである。
【産業上の利用可能性】
【００２６】
本発明の調整可能なストップ角度及び自閉機能を有する高密閉ドア用ヒンジは、従来の昇降蝶番装置が上下軸スリーブの配合により回転接続される際に、実用性が低下し、ガス漏れの可能性がある課題を克服することができ、蝶番の羽根自身が設定可能な角度の範囲にある任意の角度に対応する位置にストップすることができ、及び予め設定したストップ角度の以下に対応する位置の場合、自閉することができる。幅広い応用展望及び良好な産業上の実用性を有する。
【図１】
2018534455.tif 000003
【図２】
2018534455.tif 000004
【図３】
2018534455.tif 000005
【図４】
2018534455.tif 000006
【図５】
2018534455.tif 000007
【図６】
2018534455.tif 000008
【図７】
2018534455.tif 000009
【図８】
2018534455.tif 000010
【図９】
2018534455.tif 000011
【図１０】
2018534455.tif 000012
【図１１】
2018534455.tif 000013
【図１２】
2018534455.tif 000014
【図１３】
2018534455.tif 000015
【図１４】
2018534455.tif 000016
【図１５】
2018534455.tif 000017
【図１６】
2018534455.tif 000018
【図１７】
2018534455.tif 000019
【図１８】
2018534455.tif 000020
【図１９】
2018534455.tif 000021
【図２０】
2018534455.tif 000022
【図２１】
2018534455.tif 000023
【図２２】
2018534455.tif 000024
【図２３】
2018534455.tif 000025
【図２４】
2018534455.tif 000026
【図２５】
2018534455.tif 000027
【図２６】
2018534455.tif 000028
【図２７】
2018534455.tif 000029
【図２８】
2018534455.tif 000030
【図２９】
2018534455.tif 000031
【図３０】
2018534455.tif 000032
【図３１】
2018534455.tif 000033
【図３２】
2018534455.tif 000034
【図３３】
2018534455.tif 000035
【図３４】
2018534455.tif 000036
【図３５】
2018534455.tif 000037
【図３６】
2018534455.tif 000038
【図３７】
2018534455.tif 000039
【図３８】
2018534455.tif 000040
【図３９】
2018534455.tif 000041
【図４０】
2018534455.tif 000042
【図４１】
2018534455.tif 000043
【図４２】
2018534455.tif 000044
【図４３】
2018534455.tif 000045
【国際調査報告】
2018534455.tif 000046
2018534455.tif 000047
2018534455.tif 000048
2018534455.tif 000049